(57)【要約】【課題】止水栓部の保持は湯水供給装置の本体とのネジ等による締結のみの保持となり、止水兼流量調整つまみの開閉を繰り返した場合、止水兼流量調整弁部に壁側への繰り返し荷重がかかることにより、ネジ等の締結の状態によっては止水兼流量調整弁部が緩んで水漏れに至ることがある。【解決手段】加熱手段を有する本体部と、前記本体部に接続された入水部と出水部とを有し、前記入水部は入水機構に接続されており、前記入水機構は止水兼流量調整弁を設け、前記本体部を壁に取り付ける構成において、前記止水兼流量調整弁の壁側にアジャスタを設けたものである。【選択図】図１
2007100996.tif 000002
【特許請求の範囲】
【請求項１】
加熱手段を有する本体部と、前記本体部に接続された入水部と出水部とを有し、前記入水部は入水機構に接続されており、前記入水機構は止水兼流量調整弁を設け、前記本体部を壁に取り付けるものであって、前記止水兼流量調整弁の壁側にアジャスタを設けた湯水供給装置。
【請求項２】
加熱手段を有する本体部と、前記本体部に接続された入水部と出水部とを有し、前記入水部は入水機構に接続されており、前記入水機構は止水兼流量調整弁とその上流側にフィルタ部を設け、前記本体部を壁に取り付けるものであって、前記フィルタ部の壁側にアジャスタを設けた湯水供給装置。
【請求項３】
止水兼流量調整弁とアジャスタとを螺子機構によって接続する請求項１記載の湯水供給装置。
【請求項４】
止水兼流量調整弁の壁側に外螺子用の溝を設け、内螺子を設けているアジャスタを嵌合する請求項１記載の湯水供給装置。
【請求項５】
止水兼流量調整弁の壁側に内螺子用の溝を設け、外螺子を設けているアジャスタを嵌合する請求項１記載の湯水供給装置。
【請求項６】
フィルタ部の壁側とアジャスタとを螺子機構によって接続する請求項２記載の湯水供給装置。
【請求項７】
フィルタ部の壁側に外螺子用の溝を設け、内螺子を設けているアジャスタを嵌合する請求項２記載の湯水供給装置。
【請求項８】
フィルタ部の壁側に内螺子用の溝を設け、外螺子を設けているアジャスタを嵌合する請求項２記載の湯水供給装置。
【発明の詳細な説明】
【技術分野】
【０００１】
本発明は、湯水供給装置に関するものである。
【背景技術】
【０００２】
従来、この種の湯水供給装置は、止水栓部を湯水供給装置本体の入水側にネジ等で締結し、湯水供給装置本体側へ固定し、保持する構成となっているものである。
【０００３】
図５は、従来の湯水供給装置の外観を示すものである。図５に示すように、１は湯水供給装置本体、２は入水管、３は止水兼流量調整弁、４は止水兼流量調整つまみ、５は容量調整つまみ、６は出水管、７はシャワーホース、８はシャワーヘッド、９は加熱部、１０は通電表示部を示し、入水管２から本体内に通水され加熱部９で加熱され、シャワーホース７を介して、シャワーヘッド８から出水する構成としてある。
【０００４】
図６は同湯水供給装置の内部構造図で、１１は流量検出器、１２はタンク、１３は加熱ヒータ、１４は入水口、１５は出水口、１６は制御部である。
【０００５】
以上のように構成された湯水供給装置について、以下その動作、作用を説明する。上記構成において、その動作を簡単に説明すると、まず止水兼流量調整つまみ４を開放すると、入水管２から所定の給水圧で流入された水は、止水兼流量調整弁３を経てタンク１２に供給される。このとき流量検出器１１は所定の流量を検出し制御部１６に信号を送る。そしてタンク１２に供給された水は、流量検出器１１が所定の流量を検出しているためタンク１２に内蔵された加熱ヒータ１３により加熱され、加熱された水は出水管６に接続されたシャワーホース７を通ってシャワーヘッド８より吐出される。また、このときの湯温調整は、容量調整つまみ５を好みの温度に設定することで、容量調整ボリュウム（図示せず）、制御部１６によって加熱ヒータ１３を制御し、所望する温度に調整することができ、さらに止水兼流量調整弁３を調整することで好みの流量に調整することができる。
【０００６】
このように、容量調整つまみ５及び止水兼流量調整弁３を設定すれば、所望する温度のお湯をシャワーヘッド８から吐出することができる。
【０００７】
そして、再度止水兼流量調整つまみ４を閉止すると、入水管２から所定の給水圧で流入された水は停止状態となり、流量検出器１１が所定の流量を検出しなくなるため加熱ヒータ１３の加熱も停止する。
【０００８】
また、この湯水供給装置を設置する際、まず湯水供給装置本体１を壁面に固定する。その後止水兼流量調整弁３を湯水供給装置本体１にシール材（図示せず）を介して螺子締結する。
【特許文献１】特開２００４−１１９７６号公報
【特許文献２】特開２００４−１１９７７号公報
【発明の開示】
【発明が解決しようとする課題】
【０００９】
しかしながら、上記従来の構成では、止水栓部の保持は湯水供給装置の本体とのネジ等による締結のみの保持となり、止水兼流量調整つまみの開閉を繰り返した場合、止水兼流量調整弁部に壁側への繰り返し荷重がかかることにより、ネジ等の締結の状態によっては止水兼流量調整弁部が緩んで水漏れに至ることがある。
【課題を解決するための手段】
【００１０】
前記従来の課題を解決するために、本発明の湯水供給装置は、加熱手段を有する本体部と、前記本体部に接続された入水部と出水部とを有し、前記入水部は入水機構に接続されており、前記入水機構は止水兼流量調整弁を設け、前記本体部を壁に取り付けるものであって、前記止水兼流量調整弁の壁側にアジャスタを設けたものである。
【００１１】
これにより、止水兼流量調整つまみの開閉時に壁側へかかる荷重をアジャスターを通じて壁に逃がすことができ、止水兼流量調整弁と本体の締結部にかかる荷重を軽減することができ、その結果、止水兼流量調整弁と本体の締結部が緩んで水漏れに至るという可能性も軽減できる。
【発明の効果】
【００１２】
本発明の湯水供給装置は、止水兼流量調整弁にアジャスター機能を設けたことにより、止水兼流量調整つまみの開閉時に壁側へかかる荷重をアジャスターを通じて壁に逃がすことができ、その結果、止水兼流量調整弁と湯水供給装置本体の締結部が緩んで水漏れに至るという可能性を軽減できる。
【発明を実施するための最良の形態】
【００１３】
第１の発明は、加熱手段を有する本体部と、本体部に接続された入水部と出水部とを有し、入水部は入水機構に接続されており、入水機構は止水兼流量調整弁を設け、本体部を壁に取り付けるものであって、止水兼流量調整弁の壁側にアジャスタを設けた湯水供給装置である。
【００１４】
これによって、止水兼流量調整つまみの開閉時に壁側へかかる荷重をアジャスターを通じて壁に逃がすことができ、その結果、止水兼流量調整弁と湯水供給装置本体の締結部が緩んで水漏れに至るという可能性を軽減できる。
【００１５】
第２の発明は、加熱手段を有する本体部と、本体部に接続された入水部と出水部とを有し、入水部は入水機構に接続されており、入水機構は止水兼流量調整弁とその上流側にフィルタを設け、本体部を壁に取り付けるものであって、フィルタ部の壁側にアジャスタを設けた湯水供給装置である。
【００１６】
これによって、止水兼流量調整つまみの開閉時やフィルタの掃除を行なう際に壁側へかかる荷重をアジャスターを通じて壁に逃がすことができ、その結果、止水兼流量調整弁と湯水供給装置本体の締結部が緩んで水漏れに至るという可能性を軽減できる。
【００１７】
第３の発明は、特に、第１の発明において、止水兼流量調整弁とアジャスタとを螺子機構による接続を行うものである。
【００１８】
これによって、本体の設置条件等でアジャスタと壁との隙間が多少変化しても調整することができる。
【００１９】
第４の発明は、特に、第１の発明において、止水兼流量調整弁の壁側に外螺子用の溝を設け、内螺子を設けているアジャスタを嵌合するものである。
【００２０】
これによって、止水兼流量調整弁を本体へ接続した後に、壁面との接触状態を目視しながら止水兼流量調整弁のアジャスタ位置の調整を比較的容易に行なうことができる。
【００２１】
第５の発明は、特に、第１の発明において、止水兼流量調整弁の壁側に内螺子用の溝を設け、外螺子を設けているアジャスタを嵌合するものである。
【００２２】
これによって、第４の発明と同様に、止水兼流量調整弁を本体へ接続した後に、壁面との接触状態を目視しながら止水兼流量調整弁のアジャスタ位置の調整を比較的容易に行なうことができる。
【００２３】
第６の発明は、特に、第２の発明において、フィルタ部の壁側とアジャスタとを螺子機構による接続を行うものである。
【００２４】
これによって、本体の設置条件等でアジャスタと壁との隙間が多少変化しても調整することができる。
【００２５】
第７の発明は、特に、第２の発明において、フィルタ部の壁側に外螺子用の溝を設け、内螺子を設けているアジャスタを嵌合するものである。
【００２６】
これによって、止水兼流量調整弁を本体へ接続した後に、壁面との接触状態を目視しながら止水兼流量調整弁のアジャスタ位置の調整を比較的容易に行なうことができる。
【００２７】
第８の発明は、特に、第２の発明において、フィルタ部の壁側に内螺子用の溝を設け、外螺子を設けているアジャスタを嵌合するものである。
【００２８】
これによって、第７の発明と同様に、止水兼流量調整弁を本体へ接続した後に、壁面との接触状態を目視しながら止水兼流量調整弁のアジャスタ位置の調整を比較的容易に行なうことができる。
【００２９】
以下、本発明の実施の形態について、図面を参照しながら説明する。なお、この実施の形態によって本発明が限定されるものではない。
【００３０】
（実施の形態１）
図１及び図２は、本発明の第１の実施の形態における湯水供給装置の図を示すものである。
【００３１】
まず、図１は外観を示したもので、１７は湯水供給装置本体、１８は入水管、１９は止水兼流量調整弁、２０は止水栓兼流量調整つまみ、２１は容量調整つまみ、２２は出水管、２３はシャワーホース、２４はシャワーヘッド、２５は加熱部、２６は通電表示部を示し、入水管１８から本体内に通水され加熱部２５で加熱され、シャワーホース２３を介して、シャワーヘッド２４から出水する構成としてある。
【００３２】
図２は同湯水供給装置の内部構造図で、２７は流量検出器、２８はタンク、２９は加熱ヒータ、３０は入水口、３１は出水口、３２は制御部である。
【００３３】
また、図３は止水兼流量調整弁の外観及び構造図で、１９ａは止水兼流量調整弁本体、１９ｂはアジャスター嵌合部、１９ｃはアジャスターである。
【００３４】
以上のように構成された湯水供給装置について、以下その動作、作用を説明する。上記構成において、その動作を簡単に説明すると、まず止水栓兼流量調整つまみ２０を開放すると、入水管１８から所定の給水圧で流入された水は、止水兼流量調整弁１９を経てタンク２８に供給される。このとき流量検出器２７は所定の流量を検出し制御部３２に信号を送る。そしてタンク２８に供給された水は、流量検出器２７が所定の流量を検出しているためタンク２８に内蔵された加熱ヒータ２９により加熱され、加熱された水は出水管２２に接続されたシャワーホース２３を通ってシャワーヘッド２４より吐出される。また、こ
のときの湯温調節は、容量調整つまみ２１を好みの温度に設定することで、容量調整ボリュウム（図示せず）、制御部３２によって加熱ヒータ２９を制御し、所望する温度に調節することができ、さらに止水兼流量調整弁１９を調整することで好みの流量に調整することができる。
【００３５】
このように、容量調整つまみ２１及び止水兼流量調整弁１９を設定すれば、所望する温度のお湯をシャワーヘッド２４から吐出することができる。
【００３６】
そして、再度止水栓兼流量調整つまみ２０を閉止すると、入水管１８から所定の給水圧で流入された水は停止状態となり、流量検出器２７が所定の流量を検出しなくなるため加熱ヒータ２９の加熱も停止する。
【００３７】
また、この湯水供給装置を設置する際、まず湯水供給装置本体１７を壁面に固定する。その後止水兼流量調整弁１９を湯水供給装置本体１７にシール材（図示せず）を介して螺子締結する。この際止水兼流量調整弁本体１９ａに予め装着されているアジャスター１９ｃを閉めこんで壁面との隙間を確保した状態で行ない、湯水供給装置本体１７に螺子締結後、アジャスター１９ｃを開放方向に徐々に回転し、壁面との隙間のない状態を形成する。
【００３８】
尚、この場合、湯水供給装置本体１７及び止水兼流量調整弁１９の締結状態と、アジャスター嵌合部１９ｂ及びアジャスター１９ｃの嵌合の形態は、本実施例ではネジ締結による嵌合としているが、特に限定するものではない。
【００３９】
（実施の形態２）
図４は、本発明の第２の実施の形態における湯水供給装置の止水兼流量調整弁の構成図を示すものである。
【００４０】
図４において、３３は止水兼流量調整弁、３４はフィルターつまみ，３５はフィルター、３６はアジャスター嵌合部、３７はアジャスターである。
【００４１】
以上のように構成された湯水供給装置の止水兼流量調整弁について、以下その動作、作用を説明する。まず、湯水供給装置本体を設置時に、湯水供給装置本体に止水兼流量調整弁３３をネジ締結する。その後、アジャスター３７を湯水供給装置本体設置壁面に隙間無く接触させる様に調整する。そして、実使用を繰り返していき、流量が減少してきた場合には、フィルターつまみ３４を緩み方向に回転させて、フィルター３５を止水兼流量調整弁３３から取り外し、フィルターの掃除を行うことで、再び元の流量での使用が可能となる。
【００４２】
また、頻繁にフィルターの掃除を行なう必要が生じた場合でも、アジャスター３７の効果により、設置壁面方向への荷重は設置壁面へ逃がすことが出来るため、湯水供給装置本体と止水兼流量調整弁３３の締結部からの水漏れが発生する可能性を軽減することができる。
【産業上の利用可能性】
【００４３】
以上のように、本発明にかかる湯水供給装置は、壁に備え付ける簡易型の電気給湯器等に利用可能である。
【図面の簡単な説明】
【００４４】
【図１】第１の実施の形態における湯水供給装置の外観図
【図２】第１の実施の形態における湯水供給装置の内部構造図
【図３】第１の実施の形態における止水兼流用調整弁の外観及び構造図
【図４】第２の実施の形態における湯水供給装置の止水兼流量調整弁の構成図
【図５】従来の湯水供給装置の外観図
【図６】従来の湯水供給装置の内部構造図
【符号の説明】
【００４５】
１７  湯水供給装置本体
１８  入水管
１９  止水兼流量調整弁
１９ｂアジャスター勘合部
１９ｃアジャスター
２２  出水管
２５  加熱部
【図１】
2007100996.tif 000003
【図２】
2007100996.tif 000004
【図３】
2007100996.tif 000005
【図４】
2007100996.tif 000006
【図５】
2007100996.tif 000007
【図６】
2007100996.tif 000008